【手続補正書】
【提出日】平成24年6月8日(2012.6.8)
【手続補正１】
【補正対象書類名】特許請求の範囲
【補正対象項目名】全文
【補正方法】変更
【補正の内容】
【特許請求の範囲】
【請求項１】
陰圧創傷治療装置であって、
創傷の周りに実質的に流体を密閉するシールを形成することによって陰圧が維持され得る貯留部を前記創傷の上に画定する創傷包帯と、
前記貯留部に流体連通した真空源であって、前記創傷の治癒を刺激するのを助けるために前記貯留部に適切な陰圧を加えるのに適した、真空源と、
前記創傷包帯内に配置された創傷充填材マトリックスであって、長手方向軸に沿った長さを画定し、かつ前記長手方向軸を横断する複数のループセグメントに構成された少なくとも１つの連続繊維を含み、前記長手方向軸に沿って延在し、かつ少なくとも一部の前記ループセグメントに連結された連結セグメントを備える、創傷充填材マトリックスと、を含む、陰圧創傷治療装置。
【請求項２】
前記連結セグメントが、各ループセグメントに連結されている、請求項１に記載の装置。
【請求項３】
前記連結セグメントが、前記創傷充填材マトリックスのセグメントを提供するために切断されるように適合されている、請求項１に記載の装置。
【請求項４】
前記連結セグメントが、前記少なくとも１つの連続繊維を長手方向に越えて延在するハンドルセグメントを画定する寸法である、請求項１に記載の装置。
【請求項５】
前記連結セグメントおよび前記少なくとも１つの連続繊維が異なる材料を含む、請求項１に記載の装置。
【請求項６】
前記少なくとも１つの連続繊維がマルチフィラメントを含む、請求項１に記載の装置。
【請求項７】
前記創傷充填材マトリックスの前記少なくとも１つの連続繊維が非吸収性である、請求項１に記載の装置。
【請求項８】
前記マトリックスの前記少なくとも１つの連続繊維が添加剤を含む、請求項１に記載の装置。
【手続補正２】
【補正対象書類名】明細書
【補正対象項目名】０００６
【補正方法】変更
【補正の内容】
【０００６】
本発明は、例えば、以下を提供する：
（項目１）
創傷を処置するための方法であって、
（ａ）それぞれが少なくとも２インチの長さを有する複数の繊維を含む創傷包帯を用意するステップと、
（ｂ）前記創傷包帯を、処置すべき前記創傷の壁を離隔して維持するのに十分な量で、前記創傷内に組み込み、これにより前記創傷のその内側から外側への治癒を可能にするステップと、
（ｃ）前記創傷からの滲出物を除去するステップと、を含む、方法。
（項目２）
前記繊維が、交絡、混合、ヤーンでの巻き付け、熱結合、超音波処置、高周波（ＲＦ）結合、接着、結束、またはこれらの組合せからなる群から選択される少なくとも１つの技術によって集合させられる、項目１に記載の方法。
（項目３）
前記繊維が、前記創傷滲出物に対して吸収性または非吸収性である、項目１に記載の方法。
（項目４）
前記繊維が、その体積を増加させるために処置される、項目１に記載の方法。
（項目５）
前記繊維が、そのウィッキング能力を向上させるために処置される、項目１に記載の方法。
（項目６）
前記繊維が捲縮される、項目１に記載の方法。
（項目７）
前記繊維がバルキー性である、項目１に記載の方法。
（項目８）
前記繊維が、前記創傷の治癒を促進する剤と組み合わせられる、または前記剤で処置される、項目１に記載の方法。
（項目９）
前記剤が、抗菌剤、薬剤、創傷清拭剤、またはこれらの組合せからなる群から選択される、項目８に記載の方法。
（項目１０）
前記剤が、抗菌金属イオン、クロルヘキシジン、クロルヘキシジン塩、トリクロサン、ポリモキシン、テトラサイクリン、アミノグリコシド、リファンピシン、バシトラシン、エリスロマイシン、ネオマイシン、クロラムフェニコール、ミコナゾール、キノロン、ペニシリン、ノノキシノール９、フシジン酸、セファロスポリン、ムピロシン、メトロニダゾール、セクロピン、プロテグリン、バクテリオルシン、デフェンシン、ニトロフラゾン、マフェナイド、アシクロビル、バノクマイシン、クリンダマイシン、リンコマイシン、スルホンアミド、ノルフロキサシン、ペフロキサシン、ナリジディック酸、シュウ酸、エノキサシン酸、シプロフロキサシン、ポリヘキサメチレンビグアナイド（ＰＨＭＢ）、ＰＨＭＢ誘導体、生分解性ビグアナイド、ポリエチレンヘキサメチレンビグアナイド（ＰＥＨＭＢ）、グルコン酸クロルヘキシジン、塩酸クロルヘキシジン、エチレンジアミン四酢酸（ＥＤＴＡ）、ジナトリウムＥＤＴＡ、テトラナトリウムＥＤＴＡ、およびこれらの組合せからなる群から選択される抗菌剤である、項目９に記載の方法。
（項目１１）
前記剤が、ポリエチレンヘキサメチレンビグアナイド（ＰＥＨＭＢ）、ポリヘキサメチレンビグアナイド（ＰＨＭＢ）、ポリエチレンヘキサメチレンビグアナイドの誘導体、クロルヘキシジン塩、およびこれらの混合物からなる群から選択される抗菌剤である、項目９に記載方法。
（項目１２）
各繊維が、少なくとも４インチの長さを有する、項目１に記載の方法。
（項目１３）
前記繊維が、繊維当たり約３〜約２５のデニールを有する、項目１に記載の方法。
（項目１４）
前記処置すべき創傷内に組み込まれる前記創傷包帯の量が、前記創傷の容積に対して約２５％から、前記創傷の前記容積を超える量までである、項目１に記載の方法。
（項目１５）
前記処置すべき創傷内に組み込まれる前記創傷包帯の量が、前記創傷の容積に対して約５０％〜約１００％である、項目１４に記載の方法。
（項目１６）
前記創傷内に組み込まれる前記創傷包帯の量が、前記創傷の容積に等しい、項目１に記載の方法。
（項目１７）
前記処置すべき創傷内に組み込まれる前記創傷包帯が、前記創傷の壁に対して圧力を加える、項目１に記載の方法。
（項目１８）
前記滲出物が、真空によって前記創傷から除去される、項目１に記載の方法。
（項目１９）
前記繊維が、前記創傷滲出物に対して非吸収性であり、前記創傷滲出物が、真空法によって除去される、項目１に記載の方法。
（項目２０）
前記真空法が、陰圧創傷治療である、項目１９に記載の方法。
（項目２１）
前記繊維が、前記創傷滲出物に対して吸収性であり、前記創傷滲出物が、前記創傷から吸収された創傷滲出物を含む前記創傷包帯を除去することによって除去される、項目１に記載の方法。
（項目２２）
各繊維が、少なくとも約６インチの長さを有する、項目１に記載の方法。
（項目２３）
各繊維が、少なくとも約８インチの長さを有する、項目１に記載の方法。
（項目２４）
滲出創傷の治癒を促進するための装置であって、
前記創傷の周りに実質的に流体を密封するシールを形成することによって陰圧が維持され得る貯留部を前記創傷の上に画定する創傷カバーと、
前記貯留部に流体連通した真空源であって、前記創傷の治癒を刺激するために前記貯留部に適切な陰圧を加えるのに適している、真空源と、
前記創傷と前記創傷カバーとの間に配置されるパッキング構造体であって、接触材のシースによって実質的に取り囲まれた充填材のコアを備え、前記充填材が、創傷流体を受け取るように適合され、前記接触材が、前記創傷に直接接触して配置するように適合され、そして創傷流体の通過を可能にするために透過性である、パッキング構造体と、を含む、装置。
（項目２５）
前記パッキング構造体が、細長いチューブを画定する、項目２４に記載の装置。
（項目２６）
前記パッキング構造体が、前記パッキング構造体を分割するように適合された長手方向に離隔した複数の分離機構をさらに含み、近接する分離機構が、それらの間にポッドを画定する、項目２５に記載の装置。
（項目２７）
前記ポッドのそれぞれが、前記接触材のシースが前記ポッドの相反する横縁に沿って延在するように密閉される、項目２６に記載の装置。
（項目２８）
前記分離機構が、前記パッキング構造体を横断して横方向に延在する穿孔された切り離し線を備える、項目２６に記載の装置。
（項目２９）
近接する分離機構が、前記パッキング機構の幅の約５０％〜約３００％の距離離隔している、項目２６に記載の装置。
（項目３０）
接触材が、方向性開口フィルムを含む、項目２４に記載の装置。
（項目３１）
前記シースが、前記方向性開口フィルムの上側シートと下側シートとの間に前記充填材を封入するために周囲にシールを有する前記上側シートおよび前記下側シートを備え、前記上側シートおよび前記下側シートのそれぞれは、前記方向性開口フィルムの雄側が前記パッキング構造体への滲出物の流れを促進するように前記パッキング構造体の内側に向けられている、項目３０に記載の装置。
（項目３２）
前記パッキング構造体が、接触材の上側シートと下側シートとの間に前記充填材を封入するために周囲にシールを有する前記上側シートおよび前記下側シートを備え、前記上側シートおよび前記下側シートの一方は、前記方向性開口フィルムの雄側が前記パッキング構造体の内側に向けられ、前記上側シートおよび前記下側シートの他方は、前記方向性開口フィルムの雄側が前記パッキング構造体の外側に向けられている、項目３０に記載の装置。
（項目３３）
前記充填材が、前記創傷流体を移送するように適合されたポリプロピレントウを含む、項目３０に記載の装置。
（項目３４）
前記パッキング構造体が、接触材の上側シートと下側シートとの間に前記充填材を封入するために周囲にシールを有する前記上側シートおよび前記下側シートを備える、項目２４に記載の装置。
（項目３５）
前記パッキング構造体が、その円周方向部に向かっていく少なくとも１つの環状型ポッドによって取り囲まれた中心ポッドを画定するために少なくとも１つの内側シールをさらに備えており、前記少なくとも１つの内側シールに分離機構が設けられている、項目３４に記載の装置。
（項目３６）
前記少なくとも１つの内側シールが、前記パッキング構造体の前記円周方向部に向かって漸進的に大きくなる複数の環状型ポッドを画定する概ね同心円状の複数のシールを備える、項目３５に記載の装置。
（項目３７）
前記充填材が、接触材の前記上側シートおよび前記下側シートの１つに近接したフォーム層、および前記フォーム層に近接したトウ層を備える、項目３４に記載の装置。
（項目３８）
フォーム層が、前記トウ層の各側に配置されている、項目３７に記載の装置。
（項目３９）
創傷流体の前記パッキング構造体を通る流れを促進するために前記フォーム層に孔が形成されている、項目３８に記載の装置。
（項目４０）
創傷に使用するための創傷包帯であって、
創傷流体を受け取るように適合された充填材のコアと、
前記コアを実質的に取り囲んでいる接触材のシースであって、前記接触材が、前記創傷に直接接触して配置されるように適合され、前記シースが、前記創傷流体の前記コアへの通路を可能にするために透過性である、接触材のシースと、
前記創傷包帯を分割するように適合された長手方向に離隔した複数の分離機構であって、近接する分離機構が、それらの間にポッドを画定している、複数の分離機構と、を含む、創傷包帯。
（項目４１）
複数のポッドが、２次元アレイを画定するために配置されている、項目４０に記載の創傷包帯。
（項目４２）
前記充填材が、ポリプロピレントウを備え、前記接触材のシースが、方向性開口フィルムを備える、項目４０に記載の創傷包帯。
（項目４３）
創傷に使用するための創傷包帯であって、
ポリプロピレントウを含む充填材のコアと、
前記コアを実質的に取り囲んでいる接触材のシースであって、方向性開口フィルムを含む、接触材のシースと、
前記接触材のシース内に前記コアを封入する、前記接触材のシースの周囲のシールと、を含む、創傷包帯。
（項目４４）
陰圧創傷治療装置であって、
創傷の周りに実質的に流体を密閉するシールを形成することによって陰圧が維持され得る貯留部を前記創傷の上に画定する創傷包帯と、
前記貯留部に流体連通した真空源であって、前記創傷の治癒を刺激するのを助けるために前記貯留部に適切な陰圧を加えるのに適した、真空源と、
前記創傷包帯内に配置された創傷充填材マトリックスであって、長手方向軸に沿った長さを画定し、かつ前記長手方向軸を横断する複数のループセグメントに構成された少なくとも１つの連続繊維を含み、前記長手方向軸に沿って延在し、かつ少なくとも一部の前記ループセグメントに連結された連結セグメントを備える、創傷充填材マトリックスと、を含む、陰圧創傷治療装置。
（項目４５）
前記連結セグメントが、各ループセグメントに連結されている、項目４４に記載の装置。
（項目４６）
前記連結セグメントが、前記創傷充填材マトリックスのセグメントを提供するために切断されるように適合されている、項目４４に記載の装置。
（項目４７）
前記連結セグメントが、前記少なくとも１つの連続繊維を長手方向に越えて延在するハンドルセグメントを画定する寸法である、項目４４に記載の装置。
（項目４８）
前記連結セグメントおよび前記少なくとも１つの連続繊維が異なる材料を含む、項目４４に記載の装置。
（項目４９）
前記少なくとも１つの連続繊維がマルチフィラメントを含む、項目４４に記載の装置。
（項目５０）
前記創傷充填材マトリックスの前記少なくとも１つの連続繊維が非吸収性である、項目４４に記載の装置。
（項目５１）
前記マトリックスの前記少なくとも１つの連続繊維が添加剤を含む、項目４４に記載の装置。
（項目５２）
創傷包帯装置であって、
創傷の上に微生物障壁を提供するために前記創傷を覆うように適合されたカバー層と、
創傷流体を受け取りかつ保持するための吸収マトリックスであって、連結セグメントを連続繊維に通して前記連続繊維を複数のループセグメントに集合させることによって構成されたトウに配置された前記連続繊維を含む、吸収マトリックスと、を含む、創傷包帯装置。
要旨
本開示の一態様によると、創傷を処置するための方法は、それぞれが少なくとも２インチの長さを有する複数の繊維を含む創傷包帯を使用することを含む。この方法では、創傷包帯を創傷に組み込んで創傷の側面同士を離隔させたままにし、創傷滲出物を除去する。